【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
電源と；
前記電源に連結されたトリガーと；
タイミング回路及びドライバーを含み、前記トリガーによって起動される回路素子と；
前記回路素子に連結された光源と；
光ファイバーケーブル及び出力チップを含み、前記光源に連結された光学アセンブリと；
を含み、前記ドライバーが、光源のパルス発生、周期、デューティサイクルの１つ以上を制御して、光子誘起音響波を生成し、そして、前記光子誘起音響波が、前記光学アセンブリを通って前記出力チップから所定のパターンで射出される、歯内及び歯周用途のための光子誘起音響流デバイス。
【請求項２】
光学アセンブリが、光源からの光を屈折させる、請求項１に記載のデバイス。
【請求項３】
光源が、白熱灯、高輝度放電ランプ、発光ダイオード、レーザーダイオードの少なくとも１つを含む、請求項１に記載のデバイス。
【請求項４】
光学アセンブリが、光源からの光が光ファイバーケーブルを進む前に前記光を集束するように設定された光学素子をさらに含む、請求項１に記載のデバイス。
【請求項５】
光学素子が、光学レンズ、反射鏡、ミラー、プリズムの少なくとも１つを含む、請求項４に記載のデバイス。
【請求項６】
出力チップが、前記出力チップ内に埋め込まれた接触点を含み、電力設定が、予め選択された歯内用途又は歯周用途のための、予め決定された電力設定範囲に含まれない場合には、前記接触点がデバイスの電力設定を感知しそして前記電力設定を調節するように予め設定されている、請求項１に記載のデバイス。
【請求項７】
出力チップが、デバイス光学アセンブリから取り外し可能である、請求項１に記載のデバイス。
【請求項８】
出力チップが、
光源に隣接しており、前記チップの上部を囲んでいる光ファイバーハウジングと；
前記光ファイバーハウジングに連結されそして前記出力チップの下部を囲んでいる、第一プラスチック光ファイバーと；
前記第一プラスチック光ファイバーを囲んでいる第二プラスチック光ファイバーと；
を含み、前記第一プラスチック光ファイバー及び前記第二プラスチック光ファイバーは、エアポケットにより分離されている、請求項７に記載のデバイス。
【請求項９】
光が、第一プラスチック光ファイバーを通り、エアポケットを通り、そして第二プラスチック光ファイバーを通り、出力チップから射出される、請求項８に記載のデバイス。
【請求項１０】
第二プラスチック光ファイバーが、トリガーが噛み合わされたときに、液体と接触する位置にある、請求項８に記載のデバイス。
【請求項１１】
光源が、１又はそれ以上の所定の波長で光を放出し、前記波長が、歯内治療を実施するための所定の第一の波長の光、及び歯周治療を実施するための所定の第二の波長の光を含む、請求項１に記載のデバイス。
【請求項１２】
所定のパターンが、１つの点に集束される光から構成される、請求項１に記載のデバイス。
【請求項１３】
所定のパターンが、複数の方向に屈折する光から構成される、請求項１に記載のデバイス。
【請求項１４】
電源が、バッテリーを含む、請求項１に記載のデバイス。
【請求項１５】
トリガーが、開始／停止スイッチを含む、請求項１に記載のデバイス。
【請求項１６】
電源と；
前記電源に連結されたトリガーと；
タイミング回路及びドライバーを含み、前記トリガーによって始動される回路素子と；
前記回路素子に連結された光源と；
光ファイバーケーブル及び出力チップを含み、前記光源に連結された光学アセンブリと；
を含み、前記ドライバーが、光源のパルス発生、周期、サイクルの１つ以上を制御して、光子誘起音響波を生成し、そして、前記光子誘起音響波が、前記光学アセンブリを通って前記出力チップから所定のパターンで射出される、歯内及び歯周用途のための光子誘起音響流デバイスの作動方法であって；
噛み合わされたトリガーにより起動された前記光源が、所定の第一の波長で光を放出する工程；並びに
光子誘起音響波が、出力チップから、洗浄液に接触している歯の根冠及び構造の潅注用の前記洗浄液に放出される工程、ここで、前記出力チップの下部は、洗浄液中に配置されているものとする；
を特徴とする、前記方法。
【請求項１７】
以下の工程：
前記デバイスの波長の調整により起動された前記光源が、所定の第二の波長で光を放出する工程；並びに
以下：前記患部組織における微生物排除、歯石除去、バイオフィルム除去、軟組織切断、軟組織除去、歯周ポケットの消毒、及び歯系組織の生物刺激、の少なくとも１つの実施用の光子誘起音響波が前記出力チップから放出される工程、ここで、前記出力チップの下部は、患部組織に近接して配置されているものとする
をさらに含む、請求項１６に記載の方法。
【請求項１８】
出力チップ下部が、第一プラスチック光ファイバー及び第二プラスチック光ファイバーを含み、前記第二プラスチック光ファイバーが、前記第一プラスチック光ファイバーと前記第二プラスチック光ファイバーとを分離しているエアポケットとともに、前記第一プラスチック光ファイバーを囲んでいる、請求項１６に記載の方法。
【請求項１９】
洗浄液が、１７％エチレンジアミン四酢酸、及び５．２５％次亜塩素酸ナトリウムを含む、請求項１６に記載の方法。
【請求項２０】
所定の第一の波長が、９５０ｎｍ〜９８０ｎｍであり、そして所定の第二の波長が、５００ｎｍ〜１０６４ｎｍである、請求項１７に記載の方法。
【請求項２１】
前記調整が、前記デバイスの反復速度、デューティサイクル、及びパルス持続時間の少なくとも１つの調整である、請求項１７に記載の方法。
【請求項２２】
出力チップの下部が、第一プラスチック光ファイバー及び第二プラスチック光ファイバーを含み、前記第二プラスチック光ファイバーが、前記第一プラスチック光ファイバーと前記第二プラスチック光ファイバーとの中間にあるエアポケットとともに、前記第一プラスチック光ファイバーを囲んでいる、請求項２１に記載の方法。
【請求項２３】
電源と；
前記電源に連結されたトリガーと；
タイミング回路及びドライバーを含み、前記トリガーによって起動される回路素子と；
前記回路素子に連結された光源と；
光ファイバーケーブル及び出力チップを含み、前記光源に連結された光学アセンブリと；を含み、前記ドライバーが、光源のパルス発生、周期、及びデューティサイクルの１つ以上を制御して、光子誘起音響波を生成し、前記出力チップが、歯石除去、バイオフィルム除去、軟組織切断、軟組織除去、歯周ポケットの消毒、生物刺激、の少なくとも１つに適応する、光子により誘起される歯内及び歯周用途のためのデバイス。
【請求項２４】
光源が、白熱灯、高輝度放電ランプ、発光ダイオード、レーザーダイオードの少なくとも１つを含む、請求項２３に記載のデバイス。
【手続補正２】
【補正対象書類名】明細書
【補正対象項目名】００４８
【補正方法】変更
【補正の内容】
【００４８】
この実施態様では、前記開始／停止スイッチ１０８を電動の周期、サイクル、及びパルス発生器１０３に連結させることによって、光源をオフにすることなく、音響流を停止させることができる。急速にオンとオフがなされる場合、白熱光源は、より高い故障率を有し；この種類の調整を行う前に、時間差（lug）が例えば４５秒ある場合には、光源が保護される。本発明のこの実施態様において、前記光源を保護するため、光源は、光源自体をオン又はオフする代わりに、電動の周期、サイクル、及びパルス発生器１０３を用いてパルス化される。したがって、前記電動の周期、サイクル、及びパルス発生器１０３をオフにし、そして前記光源、例えば白熱灯１０２をオンのままにすることにより、前記デバイス１００のための前記光源、白熱灯１０２の寿命が保護される。
【手続補正３】
【補正対象書類名】明細書
【補正対象項目名】００６０
【補正方法】変更
【補正の内容】
【００６０】
前記デバイス３００は、ＡＣラインから電源の入力を得て、そしてＡＣ／ＤＣ変換器３０１を使用する。本発明の実施態様においては、前記ＡＣライン入力は、フロントエンドラインフィルタにより８６ＶＡＣ〜２４０ＶＡＣで５０／６０Ｈｚとなる。前記デバイス３００はまた、全てのＩＣサプライ（IC supplies）に電力を供給する低電圧電源３０２を利用する。本発明の実施態様において、電源は、５ＶＤＣ及び１５ＶＤＣである。前記デバイス３００はまた、インダクタ／トランス（inductor/ transformer）でありそして共振でスイッチングするように設計されている誘導記憶デバイス３０３を利用する。
【手続補正４】
【補正対象書類名】明細書
【補正対象項目名】００６２
【補正方法】変更
【補正の内容】
【００６２】
図３を参照すると、前記デバイス３００の電力補正回路に含まれるものは、誘導負荷（inductive load）を切り替えるために利用されるスイッチング金属酸化膜半導体電界効果トランジスタ（Ｍｏｓｆｅｔ）であるトランジスタ３０６、すなわち超改良型Ｍｏｓｆｅｔ（super enhanced Mosfet）、及びＤＣブロックコンデンサ３０７である。第二誘導記憶デバイス３０８もまた、力率補正回路の一部である。このインダクタ／トランスは、電圧を下げるために使用され、そして前記誘導記憶デバイス３０３と共振する。この第二誘導記憶デバイス３０８が電力を補正した後、整流器３０９はＡＣをＤＣに変換するために利用される。フィルタコンデンサ３１０は、ＤＣをフィルタリングする。パルス及びデューティサイクル駆動ＩＣ３１１（pulse and duty cycle driver IC 311）は、Ｍｏｓｆｅｔ３０６を駆動するために利用される。この相互作用は、この実施態様におけるＬＥＤアレイ３１９を駆動するための所望のパルスの出力を可能にする、速い立ち上がり時間を可能とするために利用される。
【手続補正５】
【補正対象書類名】明細書
【補正対象項目名】００７０
【補正方法】変更
【補正の内容】
【００７０】
光源、図４においては単一又は多波長ＬＥＤアレイ（ダイ）４０５からの光は、光学デバイス、例えば表示された光学レンズ４０６、レンズの１つ又はそれ以上、反射器、ミラー、及び又はプリズムを含むがこれらには限定されない前記光学デバイスにより集束される。再集束及び方向付けされた後、光は、光ファイバーアセンブリ４１０を通って、交換式チップ４０９を保持するハンドピース４０８に取り付けられた、光ファイバーケーブル４０７に移動する。前記チップ４０９が、所定のパターンで光を出力し、結果として生じる出力（光）が、前記チップが部分的に水没している液体を振動させる。チップの材料には、プラスチック及び／又はガラスが含まれるが、これらには限定されない。図６は、取り外し可能なチップ４０９の実施態様である。
【手続補正６】
【補正対象書類名】図面
【補正対象項目名】図６
【補正方法】変更
【補正の内容】
【図６】
2015512321.tif 000001